(57)【要約】【課題】  直付用の照明器具を、天井に配置された断面略Ｔ字形バーに簡易かつ安価に取り付けることができる照明器具取付構造を提供する。【解決手段】  照明器具取付構造１は、ランプ３２からの光を下方に向けて反射させる反射笠３３を有する照明器具３と、天井に平行に配置された２本の断面略Ｔ字形バー２に反射笠付照明器具３を取り付けるための２つの取付金具４とを備えている。２つの取付金具４は、照明器具３の照明器具本体３２の両端部にボルト５で固定される。この状態で、各取付金具４は、２本の断面略Ｔ字形バー２の上面に架け渡して載置される。このとき、各断面略Ｔ字形バー２の上端と反射笠３３の下端との間には、スリット状の隙間６が形成さる。この隙間６の開口面積は、取付金具４の高さ寸法Ｈを変えることで、変更可能である。【選択図】  図１
2007048634.tif 000002
【特許請求の範囲】
【請求項１】
ランプからの光を下方に向けて反射させる反射笠を有する照明器具と、
天井に平行に配置された２本の断面略Ｔ字形バーに前記照明器具を取り付けるための２つの取付金具とを備え、
前記２つの取付金具は、前記照明器具の両端部に固定されると共に、前記２本の断面略Ｔ字形バーの上面に架け渡して載置されるように構成され、
前記各取付金具が前記照明器具の両端部に固定された状態で前記２本の断面略Ｔ字形バーの上面に架け渡して載置されたときに、前記各断面略Ｔ字形バーと前記反射笠との間に隙間が形成されることを特徴とする照明器具取付構造。
【請求項２】
前記各取付金具は、前記照明器具の両端部に固定された状態で前記２本の断面略Ｔ字形バーの上面に架け渡して載置されたときに、前記反射笠を前記断面略Ｔ字形バーの上方に位置させると共に、前記断面略Ｔ字形バーの上端と前記反射笠の下端との間に前記隙間が形成されるような高さ寸法を有し、
前記取付金具の高さ寸法を変えることで、前記隙間の開口面積が変更可能であることを特徴とする請求項１記載の照明器具取付構造。
【請求項３】
前記取付金具は、前記各断面略Ｔ字形バーの上部短辺部上にそれぞれ載置される１対の第１係合部と、前記１対の第１係合部の間に設けられ、前記各断面略Ｔ字形バーの下部長辺部上に架け渡して載置される第２係合部とを有することを特徴とする請求項１又は請求項２記載の照明器具取付構造。
【発明の詳細な説明】
【技術分野】
【０００１】
本発明は、例えばシステム天井に適した照明器具取付構造に関するものである。
【背景技術】
【０００２】
システム天井に適用される従来の照明器具取付構造としては、例えば特許文献１に記載されているように、天井に平行に配置された２本の断面略Ｔ字形バー間に、照明器具と、空調等のための吹出・吸込口とを配設したものが知られている。
【特許文献１】特開平９―２４２２４８号公報
【発明の開示】
【発明が解決しようとする課題】
【０００３】
しかしながら、上記従来技術の照明器具取付構造においては、部品点数が多く構造自体が複雑であるので、照明器具を断面略Ｔ字形バーに取り付けるのに手間がかかり、またコスト的にも高くならざるを得ない。また、近年では、上記従来技術のような天井埋込用の照明器具に代えて、値段の安い天井直付用の照明器具を使用することが望まれている。
【０００４】
そこで、本発明は、天井直付用の照明器具を、天井に配置された断面略Ｔ字形バーに簡易かつ安価に取り付けることができる照明器具取付構造を提供することを目的とする。
【課題を解決するための手段】
【０００５】
本発明の照明器具取付構造は、ランプからの光を下方に向けて反射させる反射笠を有する照明器具と、天井に平行に配置された２本の断面略Ｔ字形バーに照明器具を取り付けるための２つの取付金具とを備え、２つの取付金具は、照明器具の両端部に固定されると共に、２本の断面略Ｔ字形バーの上面に架け渡して載置されるように構成され、各取付金具が照明器具の両端部に固定された状態で２本の断面略Ｔ字形バーの上面に架け渡して載置されたときに、各断面略Ｔ字形バーと反射笠との間に隙間が形成されることを特徴とする。
【０００６】
このような本発明の照明器具取付構造において、天井に配置された断面略Ｔ字形バーに反射笠付の照明器具を取り付ける場合は、まず、照明器具の両端部に取付金具をそれぞれ固定し、その状態で、各取付金具を２本の断面略Ｔ字形バーの上面に架け渡して載置する。このとき、照明器具として天井直付用の照明器具を使用する場合には、例えば取付金具が天井の壁により拘束されてずれ動かないように照明器具を設置するのであれば、各取付金具は、単に２本の断面略Ｔ字形バーの上面に乗せるだけで良く、特にボルト等で断面略Ｔ字形バーに固定しなくて済む。また、そのように各取付金具を断面略Ｔ字形バーに載置した状態では、各断面略Ｔ字形バーと反射笠との間に隙間が形成されるが、この隙間は空調レタンや排煙のための開口として使用可能であるので、別途に吸込口等を設ける必要がない。これにより、照明器具取付構造の簡素化及び低コスト化を図ることができる。
【０００７】
好ましくは、各取付金具は、照明器具の両端部に固定された状態で２本の断面略Ｔ字形バーの上面に架け渡して載置されたときに、照明器具を断面略Ｔ字形バーの上方に位置させると共に、断面略Ｔ字形バーの上端と反射笠の下端との間に隙間が形成されるような高さ寸法を有し、取付金具の高さ寸法を変えることで、隙間の開口面積が変更可能である。
【０００８】
断面略Ｔ字形バーの上端と反射笠の下端とで形成される隙間の開口面積は、室内の環境等に応じて変える必要が生じる場合がある。例えば、排煙量や排気量が多い室内では、隙間の開口面積を大きくする必要があり、排煙量や排気量が少ない室内では、隙間の開口面積を小さくする必要がある。そこで、例えば排煙量や排気量から必要な隙間の開口面積を予め求め、この開口面積が得られるように取付金具の高さ寸法を決定する。そして、そのような取付金具を作り、この取付金具を照明器具の両端部にそれぞれ固定した状態で、各取付金具を２本の断面略Ｔ字形バーの上面に架け渡して載置することにより、必要な開口面積をもった隙間を自由に得ることができる。また、この場合には、従来のスリット付の照明器具を用いた場合と異なり、強度的な面から隙間の開口面積を制限する必要もない。
【０００９】
また、好ましくは、取付金具は、各断面略Ｔ字形バーの上部短辺部上にそれぞれ載置される１対の第１係合部と、１対の第１係合部の間に設けられ、各断面略Ｔ字形バーの下部長辺部上に架け渡して載置される第２係合部とを有する。
【００１０】
この場合には、各取付金具を断面略Ｔ字形バーの上面に乗せるだけで固定しなくても、取付金具が断面略Ｔ字形バーの幅方向（断面略Ｔ字形バーの長手方向に垂直な方向）に対してより確実に拘束されることになる。
【発明の効果】
【００１１】
本発明によれば、天井直付用の照明器具を、天井に設置された断面略Ｔ字形バーに簡易かつ安価に取り付けることができるので、施工性向上及び設備コスト削減を図ることが可能となる。また、既存の断面略Ｔ字形バー及び照明器具を利用可能であるので、高い汎用性が得られる。
【発明を実施するための最良の形態】
【００１２】
以下、本発明に係る照明器具取付構造の好適な実施形態について、図面を参照して詳細に説明する。なお、図面の説明において同一又は相当部分には同一符号を付し、重複する説明を省略する。
【００１３】
図１は、本発明に係る照明器具取付構造の一実施形態を示す斜視図である。図２は、図１に示した照明器具取付構造の分解斜視図である。各図において、本実施形態の照明器具取付構造１は、空調レタンや機械排煙に天井チャンバ方式を採用しているシステム天井に適用されるものである。照明器具取付構造１は、天井直付用の反射笠付照明器具３と、システム天井に互いに平行に配置された２本の断面略Ｔ字形バー（以下、単にＴバーという）２に反射笠付照明器具３を取り付けるための２つの取付金具４とを備えている。
【００１４】
Ｔバー２は、図３及び図４に示すように、システム天井において天井板１０を支持している。Ｔバー２は、上部短辺部２１と、この上部短辺部２１よりも幅の大きい下部長辺部２２とを有している。下部長辺部２２には、天井板１０の端部が乗っかった状態となっている。
【００１５】
反射笠付照明器具３は、ランプ（蛍光灯）３１と、ランプ３１を保持するランプソケット３２ａを有する直方体形状の照明器具本体３２と、照明器具本体３２の下部に固定され、ランプ３１から照明された光を下方に向けて反射させる反射笠３３とを有している。照明器具本体３２の上面の両端部及び両端面には、取付金具４をボルト５で固定するための複数のボルト穴３４が設けられている。
【００１６】
取付金具４は、略矩形板状の本体部４１と、この本体部４１の４つの縁から同じ方向に延びるように形成された上板部４２、底板部４３及び２つの側板部４４とを有している。本体部４１の下側２つの角部には、矩形状の切欠部４５が形成されている。この切欠部４５の幅は、Ｔバー２の上部短辺部２１の幅と同等である。また、取付金具４の側板部４４は、切欠部４５よりも下方に突出している。このような取付金具４は、例えば一枚の長方形状鋼板の上下左右の各部分をそれぞれ所定の幅だけ同一方向に折り返し、更に下側２つの角部を切り落とすことによって形成される。なお、取付金具４の底板部４３の長辺端部には、取付金具４の曲げ剛性を高めるための折り返し部４３ａが設けられている。
【００１７】
このような取付金具４は、本体部４１が照明器具本体３２の端面に当接し、上板部４２が照明器具本体３２の上面の端部に当接した状態で、ボルト５により反射笠付照明器具３の両端部にそれぞれ固定される。このため、本体部４１及び上板部４２には、照明器具本体３２の端面及び上面に形成されたボルト穴３４に対応する複数の穴４６が設けられている。なお、取付金具４を照明器具本体３２の端面のみに固定しても良いが、より強固に固定するためには、上記のように取付金具４を照明器具本体３２の端面及び上面に固定するのが望ましい。
【００１８】
このように、２つの取付金具４を固定した反射笠付照明器具３がＴバー２に取り付けられるときは、取付金具４が２本のＴバー２の上面に架け渡して載置される。このとき、Ｔバー２の上部短辺部２１が取付金具４の本体部４１に形成された切欠部４５に入り込んだ状態で、本体部４１がＴバー２の上部短辺部２１上に載置されると共に、取付金具４の底板部４３が各Ｔバー２の下部長辺部２２上に架け渡して載置される。つまり、本体部４１の切欠部４５は、Ｔバー２の上部短辺部２１に係合し、底板部４３は、Ｔバー２の下部長辺部２２に係合することになる。
【００１９】
さらに、この状態では、取付金具４の側板部４４の下端部がＴバー２の上部短辺部２１よりも下方に延びている。したがって、ボルト等の連結具を用いて取付金具４をＴバー２に固定しなくても，取付金具４がＴバー２の幅方向（Ｔバー２の長手方向に対して垂直な方向）に対して拘束されるようになる。
【００２０】
このように反射笠付照明器具３の両端部に固定された各取付金具４を２本のＴバー２の上面に架け渡して載置した状態では、図４に示すように、反射笠３３はＴバー２より上方に位置している。そして、取付金具４は、反射笠３３の下端とＴバー２の上端との間にＴバー２の長手方向に延びるスリット状の隙間６が形成されるような高さ寸法Ｈ（図３参照）を有している。このスリット状の隙間６の幅Ｗは、例えば５〜９ｍｍ程度とされている。この隙間６は、室内の空調レタンや排煙のための吸込口等として使用されるものである。このとき、隙間６はＴバー２の上に形成されるので、反射笠付照明器具３の側方に対して排煙や排気がスムーズに行えるようになる。また、反射笠付照明器具３の反射笠３３の下端はＴバー２の直上まで延びているので、ランプ３１からの光の反射量を増大させることができる。さらに、下から天井を見上げた際に隙間６が見えないため、意匠的にも良好である。
【００２１】
このような取付金具４を得るためには、排煙量や排気量から必要な隙間６の開口面積を求め、２本のＴバー２の上面にまたがって載せたときに当該開口面積となるような取付金具４の高さ寸法Ｈを決定する。なお、排煙量は、例えば機械排煙作動時の面風速から割り出すことができる。従って、取付金具４の高さ寸法Ｈを変えるだけで、どんな排煙量や排気量の要求にも応じた寸法を有する隙間６を得ることが可能である。つまり、例えば室内の排煙量や排気量が多い場合には、図５に示すように、取付金具４の高さ寸法Ｈを大きくすることで、隙間６の開口面積を大きくすることができる。
【００２２】
次に、システム天井に設置されている２本のＴバー２に反射笠付照明器具３を取り付ける手順について説明する。
【００２３】
先ず、反射笠付照明器具３の照明器具本体３２の両端部に、取付金具４をボルト５で固定する。続いて、この状態で、各取付金具４を２本のＴバー２の上面に架け渡した状態で載置する。このとき、例えば取付金具４の上端面（ボルト５を含む）が天井の壁に突き当たるように設置すると、取付金具４は天井の壁に拘束され、ずれ動きにくくなる。この場合は、各取付金具４をＴバー２上に乗せるだけであっても、反射笠付照明器具３がＴバー２から脱落することは無い。ただし、取付金具４が脱落するのをより確実に防止するためには、ひも等を用いて取付金具４とＴバー２とを止めるようにしても良い。そして、電源（図示せず）及び制御線（図示せず）の接続を行った後、反射笠３３を反射笠付照明器具３の照明器具本体３２に取り付けることで、反射笠付照明器具３の取り付けが完了する。
【００２４】
このように反射笠付照明器具３がＴバー２に取り付けられた状態では、図４に示すように、汎用の天井直付用である反射笠付照明器具３が２本のＴバー２の上方に浮かぶようになり、あたかも照明器具が天井に埋め込まれたような概観となる。従って、埋込用タイプの照明器具を採用した場合と相違なく、すっきりとした天井デザインとなる。
【００２５】
以上のように本実施形態の照明器具取付構造１にあっては、天井構造自体の変更や天井部材の追加を行うことがなく、安価な天井直付用の反射笠付照明器具３を用いることができる。また、反射笠付照明器具３の両端部に固定された各取付金具４をボルト等でＴバー２に固定する必要がなく、各取付金具４を単に２本のＴバー２の上面にまたがって乗せるだけで良い。これにより、天井直付用の反射笠付照明器具３をＴバー２に簡単な構造かつ低コストで取り付けることができる。
【００２６】
また、取付金具４の高さ寸法Ｈを変えるだけで、反射笠付照明器具３の反射笠３３の下端とＴバー２の上端との間に形成されるスリット状の隙間６の開口面積を変更することができるので、室内環境に応じて必要な隙間６の開口面積が異なる場合であっても、容易に対処することが可能となる。さらに、従来のスリット付の照明器具を用いた場合には、強度面からスリット開口面積が制限されることがあるのに対し、本実施形態では隙間６の開口面積が制限されることは無い。
【００２７】
なお、本発明は、上記実施形態に限定されるものではない。例えば、上記実施形態の照明器具取付構造１では、取付金具４がＴバー２上に載置されたときに形成される隙間６の開口面積が固定であり、取付金具４の高さ寸法Ｈを予め必要な隙間６の開口面積の要求に応じて決定し、取付金具４を作成するものとしたが、取付金具自体が高さ調節可能な構造を有していても良い。
【００２８】
例えば、取付金具としては、反射笠付照明器具３の端部に固定される固定部と、この固定部に対して高さ方向に摺動可能に取り付けられ、Ｔバー２上に載置される載置部とを有するものを用いる。ここで、固定部及び載置部には両者を固定するための穴がそれぞれ設けられ、固定部及び載置部の少なくとも一方に形成された穴は、高さ方向に延在する長穴となっている。そして、これらの穴にボルトを挿通した状態で、ボルトにナットを螺合させることにより、載置部に対し固定部が高さ方向に摺動可能に固定される。この場合には、長穴が延在する範囲内で任意に両者を固定可能となるので、取付金具４の高さ寸法を調節することができる。従って、反射笠付照明器具３の施工現場においても、隙間６の開口面積を変更することが可能となる。
【００２９】
また、上記実施形態では、取付金具４がＴバー２の上部短辺部２１上と下部長辺部２２上とに載置されるような構造となっているが、取付金具４は、少なくともＴバー２（上部短辺部２１）の上面に載置される構造であれば良い。
【図面の簡単な説明】
【００３０】
【図１】本発明に係る照明器具取付構造の一実施形態を示す斜視図である。
【図２】図１に示した照明器具取付構造の分解斜視図である。
【図３】図１に示した照明器具取付構造の側面図である。
【図４】図１に示した照明器具取付構造において取付金具が無い状態を示す側面図である。
【図５】図１に示した照明器具取付構造において取付金具が無い状態の変形例を示す側面図である。
【符号の説明】
【００３１】
１…照明器具取付構造、２…断面略Ｔ字形バー、３…反射笠付照明器具、４…取付金具、６…隙間、２１…上部短辺部、２２…下部長辺部、３１…ランプ、３３…反射笠、４３…底板部（第２係合部）、４５…切欠部（第１係合部）。
【図１】
2007048634.tif 000003
【図２】
2007048634.tif 000004
【図３】
2007048634.tif 000005
【図４】
2007048634.tif 000006
【図５】
2007048634.tif 000007